(57)【特許請求の範囲】
【請求項１】
底敷板(1)に、内側及び外側の仕切板(2,3)を順次連設すると共に、内側の仕切板(2)への切込により突起(4)を設け、外側の仕切板(3)に、先端からの切込により脚片(5)を設けておき、内側と外側の仕切板(2,3)を貼り合わせて仕切壁(7)を形成し、仕切壁(7)を外側へ倒した状態から起立させると、突起(4)の先端に脚片(5)の下部の内面が押され、脚片(5)が下方へかけて外側へ張り出すように傾斜し、突起(4)の先端より外側に位置する脚片(5)の下端で仕切壁(7)が支持される仕切材。
【発明の詳細な説明】
【技術分野】
【０００１】
この発明は、ギフト箱等に挿入されて商品の収納空間を区画し、商品同士の衝突を防止する仕切材に関するものである。
【背景技術】
【０００２】
従来、下記特許文献１には、図６に示すように、複数の底敷板５１の間に、各一対の仕切板５２を連設し、隣接する仕切板５２同士を重ね合わせて仕切壁５３を形成した厚紙製の仕切材が記載されている。
【０００３】
この仕切材は、一方の仕切板５２を切り込んで底敷板５１に設けた係止片５４を、他方の仕切板５２に設けた係止穴５５に差し込むと、仕切壁５３が起立した組立形状が維持され、折目の反発を受けることなく、ギフト箱に挿入できる。
【０００４】
【特許文献１】特開平１０−３１０１２７号公報
【発明の開示】
【発明が解決しようとする課題】
【０００５】
しかしながら、上記のような仕切材では、組み立てに際し、仕切板５２同士を引き寄せつつ、仕切板５２と共に一旦立ち上がった係止片５４を、倒すように係止穴５５に差し込まなければならず、手間がかかるという問題がある。
【０００６】
また、各仕切壁５３の両側に必ず底敷板５１が必要であることから、材料の使用面積が大きくなるという問題もある。
【０００７】
そこで、この発明は、商品の箱詰め時に簡単に組み立てることができ、材料の使用面積も抑制できる仕切材を提供することを課題とする。
【課題を解決するための手段】
【０００８】
上記課題を解決するため、この発明は、底敷板に、内側及び外側の仕切板を順次連設すると共に、内側の仕切板への切込により突起を設け、外側の仕切板に、先端からの切込により脚片を設けておき、内側と外側の仕切板を貼り合わせて仕切壁を形成し、仕切壁を外側へ倒した状態から起立させると、突起の先端に脚片の下部の内面が押されて、脚片が下方へかけて外側へ張り出すように傾斜し、突起の先端より外側に位置する脚片の下端で仕切壁が支持されるようにしたのである。
【発明の効果】
【０００９】
この発明に係る仕切材では、ギフト箱への挿入に際し、仕切壁を外側へ倒した状態から起立させるだけで、突起に押されて傾斜した脚片により、仕切壁が支持されて自立するので、組み立てに手間取ることがなく、商品の箱詰め作業を迅速に行なうことができる。
【００１０】
また、仕切壁の外側には、底敷板が必要ないので、材料の使用面積を抑制することができ、商品の包装コストを低減させ、使用後の廃棄物の減量化を図ることができる。
【発明を実施するための最良の形態】
【００１１】
以下、この発明の実施形態を添付図面に基づいて説明する。
【００１２】
この仕切材は、缶入り飲料のギフト箱に挿入されるものであり、図１に示すような段ボールのブランクから形成される。
【００１３】
このブランクでは、底敷板１の両側に仕切板２，３が順次連設され、片側の仕切板２，３は、大容量の缶を収納するため、中間部が切欠かれて二部分に分割されている。底敷板１と内側の仕切板２との境界の折目線は、谷折りを容易にするため、切目を有するリード罫とされ、内外の仕切板２，３の境界の折目線は、通常の押罫とされている。
【００１４】
底敷板１の両側部には、仕切板２への切込により、基端に折目線のない突起４が複数個設けられている。仕切板３には、先端からの切込により、先広がりの脚片５が突起４に対応して設けられ、脚片５の基端には、押罫の折目線が入れられている。
【００１５】
脚片５の先端部は、仕切板３から突出し、仕切板２，３の境界から脚片５の先端までの長さ寸法は、仕切板２の高さ寸法よりも大きくなっている。脚片５の両側縁は、缶の箱詰めに際し、缶に当らないように、弧状に切断されている。
【００１６】
底敷板１の両端部には、それぞれ係止片６が連設され、底敷板１と係止片６との境界の折目線は、谷折りを容易にするため、切目を有するリード罫とされている。
【００１７】
上記ブランクの製造に際しては、図２に示すように、仕切板３を折り曲げて仕切板２の裏面に貼り付け、外側へ倒伏した仕切壁７を形成する。この状態では、仕切材は偏平となっているので、多数枚積み重ねて、嵩張ることなく、輸送・保管することができる。
【００１８】
そして、商品の箱詰めに際して、図３に示すように、仕切壁７を起立させると、突起４の先端に脚片５の下部の内面が押され、脚片５が下方へかけて外側へ張り出すように傾斜する。
【００１９】
このように組み立てた仕切材Ｓを挿入するギフト箱の本体Ｂは、図４に示すように、底壁１１の周囲に二重構造の端壁１２及び側壁１３を各一対設け、端壁１２の内側に切欠部１４を形成したものとされている。
【００２０】
そして、仕切材Ｓの挿入に際しては、底敷板１を底壁１１に重ね、係止片６を上方へ折り曲げて、切欠部１４に係合させ、ギフト箱の本体Ｂに対して仕切材を位置決めする。
【００２１】
上記のように仕切材Ｓをギフト箱Ｂの本体に挿入すると、図５に示すように、突起４に押されて傾斜した脚片５の下端が突起の先端より外側に位置して底壁１１に当接し、脚片５の下端により仕切壁７が支持されて自立するので、仕切材Ｓの組み立てに手間を要することなく、商品の箱詰め作業を迅速に行なうことができる。
【００２２】
また、上記仕切材Ｓでは、仕切壁７の外側に底敷板１が必要ないので、材料の使用面積を抑制することができ、商品の包装コストを低減させ、使用後の廃棄物の減量化を図ることができる。
【００２３】
なお、上記実施形態では、底敷板１の各側に複数組の突起４及び脚片５を設けたものを例示したが、底敷板１の両端間の寸法が短い場合には、底敷板１の各側に突起４及び脚片５を１組のみ設ければよい。
【００２４】
また、上記実施形態では、底敷板１の両側に仕切壁７を設けたものを例示したが、商品の収納形態によっては、底敷板１の片側にのみ仕切壁７を設けてもよく、外側の仕切板３からさらに底敷板１を延長し、この底敷板１に脚片５の逃穴を設けてもよい。
【００２５】
また、底敷板１の両側又は片側の仕切壁７に加えて、底敷板１の中間部分に介在させた対の仕切板を重ねて、脚片５のない一般的な仕切壁を設けるようにしてもよい。
【図面の簡単な説明】
【００２６】
【図１】この発明に係る仕切材のブランクを示す図
【図２】同上の偏平折曲状態を示す斜視図
【図３】同上の組立状態を示す斜視図
【図４】同上の使用状態を示す斜視図
【図５】同上の縦断側面図
【図６】従来の仕切材の組立状態を示す斜視図
【符号の説明】
【００２７】
Ｓ  仕切材
１  底敷板
２，３  仕切板
４  突起
５  脚片
６  係止片
７  仕切壁
Ｂ  ギフト箱の本体
１１  底壁
１２  端壁
１３  側壁
１４  切欠部
【図１】
0005149037.tif 000002
【図２】
0005149037.tif 000003
【図３】
0005149037.tif 000004
【図４】
0005149037.tif 000005
【図５】
0005149037.tif 000006
【図６】
0005149037.tif 000007